(57)【要約】【課題】  磁石付きの画鋲を針で留める場合と磁石で留める場合に、その使用態様を同様に且つ体裁良く保つこと。【解決手段】基板底面側に磁石２を有し、基板厚み方向に抜穴を貫通し、ドーム状に膨らむ弾性のカバーで基板上面側を覆い、基板抜穴の上に有する鋲止め片を弾性でカバーの内側に沿わせ、カバーと鋲止め片の隙間に鋲の頭部を有し、鋲の針部を鋲止め片を通して基板抜穴に挿入し、磁石が貼り付かない被固定物に対してカバーを押し込んだ場合にカバーと鋲止め片が変形し、基板抜穴から針部が突出して刺さり、カバーの押し込みを解除した場合に鋲止め片が変形したままカバーが弾性力でドーム状に膨らみ、被固定物から鋲の針部を抜いた場合に鋲止め片が弾性力でドーム状のカバーに沿う状態に復元する画鋲。カバー縁部を基板外周面に固定し、基板外周面上部につまみ用鍔を、カバーを貫通する状態で突出する。【選択図】      図１
2005297474.tif 000002
【特許請求の範囲】
【請求項１】
基板（１）の底面側に磁石（２）を有すると共に、基板（１）には厚み方向に貫通する抜穴（７）を有し、ドーム状に膨らむ弾性のカバー（３）で基板（１）の上面側を覆い、基板（１）の抜穴（７）の上方に有する鋲止め片（４）をその弾性によってカバー（３）の内側に沿わせ、カバー（３）と鋲止め片（４）の間の隙間（Ｇ）に鋲（６）の頭部（５）を有すると共に、鋲（６）の針部（８）を鋲止め片（４）を貫通して基板の抜穴（７）に挿入し、
磁石が貼り付かない属性の被固定物（１３）に対してカバー（３）をその弾性に反して押し込んだ場合には、カバー（３）及び鋲止め片（４）が変形し、基板の抜穴（７）から鋲の針部（８）が突出して被固定物（１３）に刺さり、カバー（３）の押し込みを解除した場合には、鋲止め片（４）が変形したままカバー（３）が弾性力によってドーム状に膨らみ、
被固定物（１３）から鋲の針部（８）を引き抜いた場合には、鋲止め片（４）が弾性力によってドーム状のカバー（３）に沿う状態に復元することを特徴とする画鋲。
【請求項２】
カバー（３）の縁部を基板（１）の外周面に固定すると共に、基板（１）の外周面上部につまみ用の鍔（１１）を、カバー（３）を貫通する状態で突出してあることを特徴とする請求項１記載の画鋲。
【発明の詳細な説明】
【技術分野】
【０００１】
本発明は、鋲の針部によって柱、壁等に刺すことができ、しかも、磁石によって鉄等に貼り付けることもできる画鋲に関する。
【背景技術】
【０００２】
従来の画鋲としては、円盤状の固定部から突き出す針の周囲をクッションで覆うと共に、クッションの底に磁石を貼り付けたものが知られている。
【特許文献１】特開２００３−３２６８９３号公報
【発明の開示】
【発明が解決しようとする課題】
【０００３】
ところが、上述したものを柱等に針で留めた場合には、クッションが縮んで潰れた形態となるので体裁が悪い。一方、鉄等に磁石で留めた場合は、クッションが潰れないので、鉄等に磁石で留める場合と柱等に針で留める場合では、使用態様に差がありすぎる。
【０００４】
請求項１に係る発明は上記実情を考慮して創作されたもので、その解決課題は、針で留める場合と磁石で留める場合の使用態様を同様に且つ体裁良く保つことのできる画鋲を提供することである。
【０００５】
また、上述したものは、鉄等に磁石で留めている状態から外すときに、円盤状の固定部をつまむと、クッションには固定部や磁石から剥がれる力がかかることから、耐久性に問題がある。
【０００６】
請求項２に係る発明は上記実情を考慮して創作されたもので、その解決課題は、請求項１に係る発明の解決課題に加え、耐久性を向上する画鋲を提供することである。
【課題を解決するための手段】
【０００７】
請求項１の発明の画鋲は、基板の底面側に磁石を有すると共に、基板には厚み方向に貫通する抜穴を有し、ドーム状に膨らむ弾性のカバーで基板の上面側を覆い、基板の抜穴の上方に有する鋲止め片をその弾性によってカバーの内側に沿わせ、カバーと鋲止め片の間の隙間に鋲の頭部を有すると共に、鋲の針部を鋲止め片を貫通して基板の抜穴に挿入し、磁石が貼り付かない属性の被固定物に対してカバーをその弾性に反して押し込んだ場合には、カバー及び鋲止め片が変形し、基板の抜穴から鋲の針部が突出して被固定物に刺さり、カバーの押し込みを解除した場合には、鋲止め片が変形したままカバーが弾性力によってドーム状に膨らみ、被固定物から鋲の針部を引き抜いた場合には、鋲止め片が弾性力によってドーム状のカバーに沿う状態に復元することを特徴とする。
【０００８】
基板の上面をドーム状に膨らむ状態で覆う形態であれば、カバーの縁部は基板のどの面に固定しても良い。例えば、カバーの縁部を基板の上面縁部に沿って固定しても良いが、この場合、カバーはドーム状に覆う部分に対して縁部が深く折れ曲がり、縁部にかかる強い復元力によって縁部が基板から外れようと作用することから、カバーと基板との固定が不安定となってカバーが剥がれ易くなるし、被固定物から画鋲を外す際に指でつまむ箇所がないと、カバーを引っ張って外そうとするおそれがある。このような不都合を解消するには、請求項２の発明のように、カバーの縁部を基板の外周面に固定すると共に、基板の外周面上部につまみ用の鍔を、カバーを貫通する状態で突出することが望ましい。
【発明の効果】
【０００９】
本発明の画鋲は、被固定物が磁石で貼り付くものであれば、そのまま磁石で画鋲を留めればカバーはドーム状に膨らんだ形態となるし、被固定物が磁石の貼り付かないものであれば、カバーを押し込んでやれば、鋲の針部が基板の抜穴から突き出して被固定物に刺さって留まり、押し込みを解除すればカバーが弾性力によってドーム状に膨らむ形態となる。従って、被固定物の属性に関係なく、画鋲の使用形態はカバーがドーム状に膨らんだ体裁の良い形態となる。
【００１０】
また、基板の外周面にカバーの縁部を固定するものであれば、ドーム状に覆う部分と縁部の屈曲角度は浅くなり、復元力が小さいことから、縁部と基板との固定は安定するし、基板の外周面上部からカバーを貫通する状態で突出する鍔を、つまんで被固定物から外すことができ、外す際にカバーには力がかからないことから、反復使用に耐えうる耐久性に優れたものと言える。
【発明を実施するための最良の形態】
【００１１】
本発明の画鋲は図１及び図２に示すように、円盤状の基板１と、基板１の底面側に接着等で固定する磁石２と、基板１の上面をドーム状に膨らむ状態で覆うカバー３と、カバー３の内側に沿う鋲止め片４と、カバー３と鋲止め片４の間の隙間Ｇに頭部５を収容する鋲６とから構成される。そして基板１の中央部に抜穴７を厚み方向に貫通して設け、鋲６の針部８を鋲止め片４を貫通して基板１の抜穴７に挿入し、ドーム状に膨らむカバー３の弾性とカバー３の内側に沿う鋲止め片４の弾性によって、カバー３と鋲止め片４の間を開閉可能に設けると共に、鋲６の針部８を基板１の抜穴７から出し入れ可能に設けたものである。
【００１２】
基板１はプラスチック製の円盤であって、その底面の外周部にリング状の窪み９を形成し、その窪み９にリング状の磁石２を接着等して貼り付ける。また、基板１はその中央部には、前述したように抜穴７をあけ、その上面には抜穴７よりも大径の凹部１０を、抜穴７と同心円状に形成し、カバー３を押し込んだ際に鋲６の頭部５及び鋲止め片４の一部（頭部５の周辺部分）を凹部１０に収容する。また、基板１は、その外周面の上部に複数のつまみ用の鍔１１を、周方向に沿って間隔をあけて設けてある。
【００１３】
カバー３は、基板１の上面をドーム状に膨らむ状態で覆うと共にその縁部を基板１と磁石２の外周面に貼り付けるもので、縁部には鍔１１を通す貫通穴１２をあけてある。また、カバー３は、ドーム状に膨らむ弾性素材（例えば、ビニル樹脂）を用いるもので、基板１の上面を覆う部分の内側に帯状の鋲止め片４を、基板１の抜穴７の上方を覆う部分から放射状に延長すると共に、鋲止め片４の両端部をカバー３に連続することによって、カバー３と鋲止め片４を開閉可能な二重構造としてある。カバー３と鋲止め片４を製作する一例としては、樹脂シートを鋲止め片４の厚み分だけ厚くして全体で例えば１ｍｍに一体成形し、厚みを薄くする方向に切り込みを入れることによって、鋲止め片４を両端部以外ではカバー３と分離する。そして、基板１にカバー３を固定する場合は、カバー３と鋲止め片４の間を広げてから、鋲６の針部８を鋲止め片４の中央部に突き刺し、カバー３と鋲止め片４の隙間Ｇに鋲６の頭部５を収容し、針部８を基板の抜穴７に通しながら、カバー３の縁部を基板１と磁石２の外周面に跨って貼り付ける。
【００１４】
上述した本発明の画鋲は以下の要領で使用する。図１（イ）に示すように、鉄などの被固定物１３に対して留める場合は、基板１の底面側を被固定物１３に当て磁石２の力を利用して被固定物１３に留める。また、図１（ロ）に示すように、被固定物１３が磁石２で貼り付かないもの、例えば木材などである場合には、基板１の底面側を被固定物１３に当てたままカバー３を指で押し込むと、カバー３及び鋲止め片４が変形して基板１の上面に押し当たって、基板１の抜穴７から鋲６の針部８が突出して被固定物１３に突き刺さる。図１（ハ）に示すように指を離すと、鋲止め片４は基板１に沿って変形した状態であるにも関わらず、カバー３は復元力によってドーム状に膨らむ形態となる。また、画鋲を外す際には、鍔１１と被固定物１３との間には、指先を入れることのできるギャップがあいているので、そのギャップを利用して鍔１１をつまんで被固定物１３に対して引っ張ればよい。針部８が被固定物１３から抜けると、図１（イ）に示すように鋲止め片４はその復元力によって、カバー３の内側に沿う状態となり、針部８が基板の抜穴７に収容される。
【００１５】
本発明は上記実施形態に限定されない。例えば、鋲止め片４は、カバー３と完全に分離した別体品であっても良く、この場合、鋲止め片４もカバー３と同様に基板１に固定する。
【図面の簡単な説明】
【００１６】
【図１】（イ）（ロ）（ハ）図は本発明の画鋲の使用状態を示す断面図である
【図２】（イ）（ロ）（ハ）図は本発明の画鋲を示すＡ−Ａ線断面図、平面図、底面図である。
【符号の説明】
【００１７】
１  基板
２  磁石
３  カバー
４  鋲止め片
Ｇ  隙間
５  頭部
６  鋲
７  抜穴
８  針部
１１  鍔
１３  被固定物
【図１】
2005297474.tif 000003
【図２】
2005297474.tif 000004